(57)【要約】【課題】動画像を外部機器に転送する際に、その動画像に関連する静止画像等の関連情報を簡単、かつ確実に転送し得る撮像装置を提供する。【解決手段】撮影した動画像、その動画と関連性のある静止画像ファイル、動画像ファイル、音声クリップ、プレイリストを、デジタルビデオカメラの内部回路から取得した日時情報（撮影日時等）、位置情報（撮影場所等）と共に記憶媒体に記録しておき、記憶媒体上の動画像を外部機器に再生送信する際に、再生送信している動画像の撮影日時、及び撮影場所情報に基づいて、前記動画と関連性のある静止画像ファイル、動画像ファイル、音声クリップ、プレイリストを自動的に検出し、動画像と共に送信する。【選択図】      図２
2005005764.tif 000002
【特許請求の範囲】
【請求項１】
撮影した動画像を外部機器に送信可能な撮像装置において、
前記動画像を日時及び位置と共に所定の記憶媒体に記録する動画像記録手段と、
少なくとも前記動画像に関連する関連情報を日時及び位置と共に所定の記憶媒体に記録する関連情報記録手段と、
前記動画像記録手段により記録された前記動画像を外部機器に送信する際に、少なくとも送信対象の前記動画像に係る日時及び位置と前記関連情報に係る日時及び位置とに基づいて、前記送信対象の動画像に関連する関連情報を検索する検索手段と、
前記検索手段により検索された関連情報を前記送信対象の動画像と共に外部機器に送信させる送信制御手段と、
を有することを特徴とする撮像装置。
【発明の詳細な説明】
【０００１】
【発明の属する技術分野】
本発明は、撮像装置に関し、特に、インターフェースを介して外部機器に動画像等を送信する機能を有する撮像装置に関する。
【０００２】
【従来の技術】
近年のデジタルビデオカメラは、本来の機能である動画像の記録・再生機能に加え、静止画像や音声クリップの記録・再生を行う機能、プレイリストを作成する機能、これら動画像、静止画像、音声クリップ、プレイリストを高速インターフェースを介して外部機器へ転送する機能を有している。
【０００３】
この種のデジタルビデオカメラは、一般に、旅行や運動会などのイベントの撮影に用いられ、撮影者は、動画像の撮影に加えて静止画像の撮影を行ったり、編集作業として音声クリップやプレイリストを追加したりすることができる。また、デジタルビデオカメラをインターフェースを介して外部機器に接続し、イベントに関する一連の動画像、静止画像、音声クリップ、プレイリストを外部機器に転送することも可能である。
【０００４】
このようなビデオカメラが特許文献１に記載されている。
【０００５】
【特許文献１】
特開２００１−２０３９７３号公報
【０００６】
【発明が解決しようとする課題】
しかしながら、従来のデジタルビデオカメラでは、例えばイベントに関する一連の動画像、静止画像、音声クリップ、プレイリストを外部機器に転送する場合、ユーザは、転送対象の動画像、静止画像、音声クリップ、プレイリストを個別に指定する必要があり、使い勝手が悪かった。
【０００７】
すなわち、ユーザがデジタルビデオカメラの記憶媒体に記憶されている動画像、静止画像、音声クリップ、プレイリストについて、イベント等の関連性を知らない場合は、それらを逐一再生してイベント等の関連性を認識し、その認識結果に基づいて転送対象の動画像、静止画像、音声クリップ、プレイリストを個別に指定しなければならず、転送対象を指定するために煩雑な作業を要していた。
【０００８】
また、たとえユーザがデジタルビデオカメラの記憶媒体に記憶されている動画像、静止画像、音声クリップ、プレイリストについて、イベント等の関連性を知っていたとしても、転送対象の動画像、静止画像、音声クリップ、プレイリストを個別に指定する必要があり、この指定操作が面倒であった。
【０００９】
さらに、イベント等の関連性を知っているか否かに拘わらず、転送対象の動画像、静止画像、音声クリップ、プレイリストをユーザが個別に指定する必要があるため、指定漏れが発生する場合もあった。
【００１０】
本発明は、このような従来技術の問題点に鑑みてなされたもので、その課題は、動画像を外部機器に転送する際に、その動画像に関連する静止画像等の関連情報を簡単、かつ確実に転送し得る撮像装置を提供することにある。
【００１１】
【課題を解決するための手段】
上記課題を解決するため、本発明は、撮影した動画像を外部機器に送信可能な撮像装置において、前記動画像を日時及び位置と共に所定の記憶媒体に記録する動画像記録手段と、少なくとも前記動画像に関連する関連情報を日時及び位置と共に所定の記憶媒体に記録する関連情報記録手段と、前記動画像記録手段により記録された前記動画像を外部機器に送信する際に、少なくとも送信対象の前記動画像に係る日時及び位置と前記関連情報に係る日時及び位置とに基づいて、前記送信対象の動画像に関連する関連情報を検索する検索手段と、前記検索手段により検索された関連情報を前記送信対象の動画像と共に外部機器に送信させる送信制御手段とを有している。
【００１２】
【発明の実施の形態】
以下、本発明の実施の形態を図面に基づいて詳細に説明する。
【００１３】
［第１の実施形態］
図１は、本発明の第１の実施形態に係る撮像装置（デジタルビデオカメラ）の概略構成を示すブロック図である。
【００１４】
撮像部はレンズ系１０１、及びＣＣＤ撮像素子１０４を有している。レンズ系１０１は、マスタレンズ、焦度調整用レンズ、変倍レンズ等により構成されている。レンズ制御部１０２は、レンズ系１０１の焦度調節用レンズ、変倍レンズ等を駆動する駆動部、この駆動部を制御する制御部、オートフォーカスを制御するＡＦ制御部を有している。
【００１５】
ビデオ内部回路１０５は、デジタルビデオカメラの内部的な信号処理を行う信号処理部の他に、時計部１０５ａを有している。撮像画像の記録用媒体としては、磁気記録テープ１１０とメモリカード１１１を有している。
【００１６】
また、本デジタルビデオカメラの各種の動作を統御するＣＰＵ１０３、パーソナルコンピュータ等の外部機器と接続するための外部接続インターフェース１０８、周囲の音を取り込むためのマイク１０７、各種の操作ボタン（キースイッチ）、及び操作ボタンの操作信号を出力するキー回路を有する操作部１０９、本デジタルカメラの位置情報を取得するためのＧＰＳ（Ｇｌｏｂａｌ  Ｐｏｓｉｔｉｏｎｉｎｇ  Ｓｙｓｔｅｍ）１１２を有している。
【００１７】
ＣＰＵ１０３により、ＣＣＤドライバ（図示省略）を介してＣＣＤ撮像素子１０４が駆動されると、レンズ系１０１を介して入力された光学像は、ＣＣＤ撮像素子１０４にて光電変換されて、アナログの撮像信号としてビデオ内部回路１０５に取り込まれる。
【００１８】
ビデオ内部回路１０５は、入力された撮像信号に対して、Ａ／Ｄ変換処理、ＹＣ（輝度／色）分離処理、ホワイトバランス処理、ガンマ補正処理等の処理を施すと共に、輝度信号の一部をレンズ制御部１０２へ送出する。
【００１９】
レンズ制御部１０２は、輝度信号から高周波成分を抽出し、抽出した高周波成分に基づいて合焦度を算出し、その合焦度に基づいて焦点調整用レンズを合焦位置に移動するように制御する。合焦動作過程及び合焦時には、合焦中であるか否かを示す合焦情報とレンズ位置を示す情報（フォーカス情報）がレンズ制御部１０２からＣＰＵ１０３へ送られる。また、レンズ制御部１０２は、ズーム操作がなされると、変倍レンズを駆動して被写体像を拡大又は縮小させる。
【００２０】
また、ビデオ内部回路１０５は、ランダムアクセスメモリ１０６を用いて撮影画像の記録処理を行う。すなわち、操作部１０９の記録開始ボタンが押されると、ビデオ内部回路１０５は、時計部１０５ａからの時間情報と、ＧＰＳ１１２から取得した撮影位置情報を、ランダムアクセスメモリ１０６上で撮影画像に付加し、動画像撮像時であれば磁気記録テープ１１０へ、静止画像撮影時又は、モーションＪＰＥＧ、ＭＰＥＧ等の動画像ファイルであればメモリカード１１１へ書き込む。磁気記録テープ１１０に記録するか、又はメモリカード１１１に記録するかは、操作部１０９により設定された記録モードに依る。
【００２１】
次に、磁気記録テープ１１０に記録された動画像を外部接続インターフェース１０８を介して外部機器に送信する場合について説明する。なお、動画像の送信要求信号は、操作部１０９から入力することも、或いは外部接続インターフェース１０８を介して外部機器から入力することも可能である。
【００２２】
ＣＰＵ１０３は、動画像の送信要求信号が入力されると、ビデオ内部回路１０５に対して、磁気記録テープ１１０に記録された動画像および音声を再生して外部接続インターフェース１０８を介して送信するように指令する。指令されたビデオ内部回路１０５は、ランダムアクセスメモリ１０６を用いて通常通りの復調を行い、必要であれば送信に必要な圧縮や符号化を行う。
【００２３】
また、ビデオ内部回路１０５は、送信対象の復調に係る動画像に付加されている撮影日時に関する情報と、撮影場所に関する情報を読み取り、それら撮影日時に関する情報、撮影場所に関する情報に基づいて、送信対象の動画像と関連性のある静止画像ファイル又は動画像ファイルをメモリカード１１１上で探索する。
【００２４】
この際、磁気記録テープ１１０に記録されている送信対象の動画像とメモリカード１１１に記録されている静止画像ファイル、動画像ファイルとの関連性は、次のように判断する（図２参照）。
【００２５】
すなわち、撮影日時による関連性は、磁気記録テープ１１０に記録されている動画像の撮影日時を基準として、メモリカード１１１に記録されている静止画像ファイル又は動画像ファイルの撮影日時が一定の閾値の範囲内にあれば、関連性があるものと認定する。時間範囲を決める基準となる閾値は、図示しない不揮発性のメモリに予め登録されている値を用いるが、操作部１０９からユーザが入力した閾値があればそれを前記不揮発性のメモリに再登録して用いる（図２のステップＳ１，Ｓ３）。
【００２６】
同様に撮影場所による関連性は、磁気記録テープ１１０に記録されている動画像の撮影場所を基準として、メモリカード１１１に記録されている静止画像ファイル又は動画像ファイルの撮影場所が一定の閾値の範囲内にあれば、関連性があるものと認定する。距離範囲を決める規準となる閾値は、図示しない不揮発性のメモリに予め登録されている値を用いるが、操作部１０９からのユーザが入力した閾値があればそれを前記不揮発性メモリに再登録して用いる（図２のステップＳ２，Ｓ４）。
【００２７】
そして、メモリカード１１１に記録されている静止画像ファイル又は動画像ファイルのうち、磁気記録テープ１１０に記録されている動画像の撮影日時と撮影場所の双方について関連性があると認定されたものを、磁気記録テープ１１０に記録されている動画像と共に送信する（ステップＳ５）。メモリカード１１１内に関連性のある静止画像ファイル又は動画像ファイルが複数存在する場合は、それらを順次送信対象に加えて送信する。
【００２８】
このとき、同期送信しか使えない場合は、磁気記録テープ１１０に記録されている動画像を全て送信した後に、メモリカード１１１に記録されている関連性のある静止画像ファイル又は動画像ファイルを順次送信するが、同期送信・非同期送信の両方を用いることが可能であれば、磁気記録テープ１１０に記録されている動画像の送信には同期送信を用い、メモリカード１１１に記録されている関連性のある静止画像ファイル又は動画像ファイルについては、非同期送信を用いる。
【００２９】
次に、音声クリップの作成と送信について説明する。
【００３０】
磁気記録テープ１１０に記録されている動画像を再生していない状態で、操作部１０９から音声クリップの送信要求信号が入力された場合、ＣＰＵ１０３は、ビデオ内部回路１０５に対して音声クリップファイルの作成と送信を指示する。すると、ビデオ内部回路１０５は、マイク１０７から入力された音声波形をランダムアクセスメモリ１０６を用いて符号化し、音声クリップ形式にする。音声クリップ作成が始まると、ビデオ内部回路１０５は、時計部１０５ａから取得した時間情報と、ＧＰＳ１１２から取得した位置情報をランダムアクセスメモリ１０６上で音声クリップに付加し、メモリカード１１１に書き込む。
【００３１】
一方、磁気記録テープ１１０に記録されている動画像の再生中に操作部１０９から音声クリップの送信要求信号が入力された場合、作成する音声クリップは再生中の動画像に関連する音声クリップであるものとして処理する。
【００３２】
すなわち、音声クリップ作成が始まると、同様にランダムアクセスメモリ１０６を用いて符号化し音声クリップ形式にするが、付加情報として記録する撮影日時と撮影場所に関する情報は、再生中の動画像のものを用いる。具体的には、再生中の動画像については、ランダムアクセスメモリ１０６を介して復調等の作業を行っており、このランダムアクセスメモリ１０６から再生に係る動画像の撮影日時および撮影場所に関する情報を取得し、これを音声クリップに付加してメモリカード１１１に書き込む。
【００３３】
そして、外部接続インターフェース１０８を介して磁気記録テープ１１０上の動画像を再生送信する際には、図２に示したように、その動画像と関連性のある音声クリップがメモリカード１１１に存在するか否かを、静止画像ファイル又は動画像ファイルの場合と同一の日時、位置（場所）に係る閾値を用いてチェックし、関連性のある音声クリップが存在すれば、磁気記録テープ１１０に記録されている動画像と共に送信する。
【００３４】
なお、動画像再生送信中に音声クリップ作成要求が発生した場合も、前記の動画像再生中の音声クリップ作成と同様の手法を用いて音声クリップを作成する。
【００３５】
次に、プレイリストの作成と送信について説明する。
【００３６】
プレイリストの作成処理は、操作部１０９からの操作信号に基づいて、ＣＰＵ１０３により、ランダムアクセスメモリ１０６を用いて行われる。このプレイリストは、ファイル形式でメモリカード１１１に保存される。その際、プレイリストにリストアップされた動画、静止画、モーションＪＰＥＧ、ＭＰＥＧ等の各ファイル（ファイル名）には、それらの日時情報、場所情報が対応して記録される。
【００３７】
外部接続インターフェース１０８を介して磁気記録テープ１１０上の再生動画像の送信を行う際、ＣＰＵ１０３は、プレイリストをランダムアクセスメモリ１０６を用いて展開し、送信する動画像がプレイリストに含まれているか否かを調べる。もし、動画像がプレイリストに含まれていれば、そのプレイリストを動画像と共に送信する。
【００３８】
このように、第１の実施形態に係るデジタルビデオカメラでは、撮影した動画像、その動画と関連性のある静止画像ファイル、動画像ファイル、音声クリップ、プレイリストを、デジタルビデオカメラの内部回路から取得した日時情報（撮影日時等）、位置情報（撮影場所等）と共に記憶媒体に記録しておき、記憶媒体上の動画像を外部機器に再生送信する際に、再生送信している動画像の撮影日時、及び撮影場所情報に基づいて、前記動画と関連性のある静止画像ファイル、動画像ファイル、音声クリップ、プレイリストを自動的に検出し、動画像と共に送信している。
【００３９】
従って、送信対象の動画像と関連性のある静止画像ファイル、動画像ファイル、音声クリップ、プレイリストを、送信側、受信側ともに煩雑な操作を行うことなく、簡単、かつ確実に送信することが可能となる。
【００４０】
［第２の実施形態］
第２の実施形態に係るデジタルビデオカメラは、磁気ディスク等のランダムアクセス可能な記憶媒体に動画、静止画、モーションＪＰＥＧやＭＰＥＧに係る画像を記録するように構成されている。このようなランダムアクセス可能なディスク等の記憶媒体を用いた場合、撮影した動画、静止画は、ディレクトリを用いた階層構造上に配置して管理可能である。
【００４１】
図３は、第２の実施形態に係るデジタルビデオカメラの概略構成を示すブロック図である。
【００４２】
撮像部はレンズ系２０１、及びＣＣＤ撮像素子２０４を有している。レンズ系２０１は、マスタレンズ、焦度調整用レンズ、変倍レンズ等により構成されている。レンズ制御部２０２は、レンズ系２０１の焦度調節用レンズ、変倍レンズ等を駆動する駆動部、この駆動部を制御する制御部、オートフォーカスを制御するＡＦ制御部を有している。
【００４３】
ビデオ内部回路２０５は、デジタルビデオカメラの内部的な信号処理を行う信号処理部の他に、時計部２０５ａを有している。撮像画像の記録用媒体としては、磁気ディスク２１０を有している。
【００４４】
また、本デジタルビデオカメラの各種の動作を統御するＣＰＵ０３、パーソナルコンピュータ等の外部機器と接続するための外部接続インターフェース２０８、周囲の音を取り込むためのマイク２０７、各種の操作ボタン（キースイッチ）、及び操作ボタンの操作信号を出力するキー回路を有する操作部１０９、本デジタルカメラの位置情報を取得するためのＧＰＳ（Ｇｌｏｂａｌ  Ｐｏｓｉｔｉｏｎｉｎｇ  Ｓｙｓｔｅｍ）２１２を有している。
【００４５】
ＣＰＵ２０３により、ＣＣＤドライバ（図示省略）を介してＣＣＤ撮像素子２０４が駆動されると、レンズ系２０１を介して入力された光学像は、ＣＣＤ撮像素子２０４にて光電変換されて，アナログの撮像信号としてビデオ内部回路２０５に取り込まれる。
【００４６】
ビデオ内部回路２０５は、入力された撮像信号に対して、Ａ／Ｄ変換処理、ＹＣ（輝度／色）分離処理、ホワイトバランス処理、ガンマ補正処理等の処理を施すと共に、輝度信号の一部をレンズ制御部２０２へ送出する。
【００４７】
レンズ制御部２０２は、輝度信号から高周波成分を抽出し、抽出した高周波成分に基づいて合焦度を算出し、その合焦度に基づいて焦点調整用レンズを合焦位置に移動するように制御する。合焦動作過程及び合焦時には、合焦中であるか否かを示す合焦情報とレンズ位置を示す情報（フォーカス情報）がレンズ制御部２０２からＣＰＵ２０３へ送られる。また、レンズ制御部２０２は、ズーム操作がなされると、変倍レンズを駆動して被写体像を拡大又は縮小させる。
【００４８】
また、ビデオ内部回路２０５は、ランダムアクセスメモリ２０６を用いて撮影画像の記録処理を行う。すなわち、操作部２０９の記録開始ボタンが押されると、ビデオ内部回路２０５は、時計部２０５ａからの時間情報と、ＧＰＳ２１２から取得した撮影位置情報を、ランダムアクセスメモリ２０６上で撮影画像に付加して、磁気ディスク２１０へ書き込む。
【００４９】
磁気ディスク２１０への書き込みの際、図示しない不揮発性メモリに登録されている時間と距離の閾値に基づいてディレクトリを構成し、静止画像及び動画像は関連するディレクトリ内に格納する。例えば、ディレクトリの作成基準である時間と距離の閾値が「２４時間」と「１０ｋｍ」であれば、撮影開始時にディレクトリＡを作成し、ディレクトリＡにはディレクトリＡの作成日時から２４時間以内で、かつ、ディレクトリＡの作成時にＧＰＳ２１２から取得した位置情報から１０ｋｍ以内の範囲で撮影した静止画像及び動画像をファイル形式で格納する。
【００５０】
ディレクトリＡの作成日時から２４時間以降、或いは、ディレクトリＡの作成時の撮影場所から１０ｋｍ以上離れた場所で撮影を開始する場合は、ビデオ内部回路２０５は、時計部２０５ａ、ＧＰＳ２１２からの時間、位置情報に基づいて、時間及び場所が範囲外になったことを認識し、新たにディレクトリＢを作成して、撮影画像を格納する。
【００５１】
ディレクトリの作成基準たる閾値は、操作部２０９からの入力によりユーザが図示しない不揮発性メモリ上に再登録可能である。
【００５２】
次に、磁気ディスク２１０に記録された動画像を外部接続インターフェース２０８を介して外部機器に送信する場合について説明する。なお、動画像の送信要求信号は、操作部２０９から入力することも、或いは外部接続インターフェース２０８を介して外部機器から入力することも可能である。
【００５３】
ＣＰＵ２０３は、動画像の送信要求信号が入力されると、ビデオ内部回路１０５に対して、磁気ディスク２１０に記録された動画像および音声を再生して外部接続インターフェース２０８を介して送信するように指令する。指令されたビデオ内部回路２０５は、ランダムアクセスメモリ２０６を用いて通常通りの復調を行い、必要であれば送信に必要な圧縮や符号化を行う。
【００５４】
また、ビデオ内部回路２０５は、復調した動画像が格納されていたディレクトリと同一のディレクトリに他の動画像ファイル又は静止画像ファイルが存在するか否かを検索し、存在すれば、それら同一ディレクトリ内の動画像ファイル又は静止画像ファイルを送信対象の動画像に関連する静止画像及び動画像として、送信対象の動画像と共に送信する。同一ディレクトリ内に動画像ファイル又は静止画像ファイルが複数存在した場合、それらを順次送信対象に加えて送信する。
【００５５】
このとき、同期送信しか使えない場合、動画像を全て送信した後に、関連する静止画像を順次送信するが、同期送信・非同期送信の両方を用いることが可能であれば、動画像の送信には同期送信を用い、関連する静止画像ファイルについては非同期送信を用いる。
【００５６】
次に、音声クリップの作成と送信について説明する。動画像を再生していない状態で、操作部２０９から音声クリップの送信要求信号が入力された場合、通常の音声クリップ作成動作として、ＣＰＵ２０３は、ビデオ内部回路２０５に対して音声クリップファイルの作成と送信を指示する。すると、ビデオ内部回路２０５は、マイク２０７から入力された音声波形を、ランダムアクセスメモリ２０６を用いて符号化し、音声クリップ形式にする。音声クリップ作成が始まると、ビデオ内部回路２０５は、時計部２０５ａから取得した時間情報と、ＧＰＳ２１２から取得した位置情報をランダムアクセスメモリ２０６上で音声クリップに付加し、磁気ディスク２１０内のディレクトリへ格納する。格納するディレクトリは、音声クリップの作成時間及び作成時の場所情報に基づいて決定する。
【００５７】
一方、動画像の再生中に操作部２０９から音声クリップの送信要求信号が入力された場合、作成する音声クリップは再生中の動画像に関連する音声クリップであると判断する。音声クリップ作成が始まると、ランダムアクセスメモリ２０６を用いて符号化し音声クリップ形式にするが、付加情報として記録する撮影日時と撮影場所に関する情報は、再生中の動画像のものを用いる。
【００５８】
すなわち、再生中の動画像については、ランダムアクセスメモリ２０６を介して復調等の作業を行っており、このランダムアクセスメモリ２０６から再生中の動画像の撮影日時および撮影場所に関する情報を取得し、磁気ディスク２１０内の再生中の動画像と同じディレクトリに書き込む。
【００５９】
そして、外部接続インターフェース２０８を介して磁気ディスク２１０上の動画像の再生送信を行う際、その動画像と同一ディレクトリに音声クリップが存在するか否かを検索し、同一ディレクトリに音声クリップが存在すれば、その音声クリップを再生送信に係る動画像と関連性のある情報として、動画像と共に送信する。
【００６０】
なお、動画像再生送信中に音声クリップ作成要求が発生した場合も、前記の動画再生中の音声クリップ作成と同様の手法を用いて音声クリップを作成する。
【００６１】
次に、プレイリストの作成及び送信について説明する。プレイリストの作成方法は第１の実施形態と同様であるが、保存するディレクトリはプレイリスト専用のディレクトリを用いる。
【００６２】
外部接続インターフェース２０８を介して動画像を再生送信する際、ＣＰＵ２０３は、専用のディレクトリ内のプレイリストをランダムアクセスメモリ２０６を用いて展開し、そのプレイリストに再生送信に係る動画像が含まれているか否かを調べる。もし再生送信に係る動画像がプレイリストに含まれていれば、そのプレイリストを動画像と共に送信する。
【００６３】
このように、第２の実施形態に係るデジタルビデオカメラでは、撮影した動画像の撮影日時、及び撮影場所から一定範囲内の日時、及び距離属性を持つ静止画像ファイル、動画像ファイル、音声クリップ、プレイリストを、前記動画像と同一のディレクトリに格納しておき、前記動画像を外部機器に再生送信する際に、再生送信している動画像と同一のディレクトリに格納された静止画像ファイル、動画像ファイル、音声クリップ、プレイリストを自動的に前記動画像と共に送信している。
【００６４】
従って、送信対象の動画像と関連性のある静止画像ファイル、動画像ファイル、音声クリップ、プレイリストを、送信側、受信側ともに煩雑な操作を行うことなく、簡単、かつ確実に送信することが可能となる。
【００６５】
なお、本発明の目的は、上記実施形態の機能を実現するソフトウェアのプログラムコードを記録した記憶媒体（または記録媒体）を、システム或いは装置に供給し、そのシステム或いは装置のコンピュータ（またはＣＰＵやＭＰＵ）が記憶媒体に格納されたプログラムコードを読み出し実行することによっても、達成されることは言うまでもない。
【００６６】
この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることは言うまでもない。
【００６７】
さらに、記憶媒体から読み出されたプログラムコードが、コンピュータに挿入された機能拡張カードやコンピュータに接続された機能拡張ユニットに備わるメモリに書き込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。本発明を上記記憶媒体に適用する場合、その記憶媒体には、先に説明した（図２に示す）フローチャートに対応するプログラムコードが格納されることになる。
【００６８】
以下、本発明の要点を総括する。
【００６９】
［実施形態１］  撮影した動画像を外部機器に送信可能な撮像装置において、
前記動画像を日時及び位置と共に所定の記憶媒体に記録する動画像記録手段と、
少なくとも前記動画像に関連する関連情報を日時及び位置と共に所定の記憶媒体に記録する関連情報記録手段と、
前記動画像記録手段により記録された前記動画像を外部機器に送信する際に、少なくとも送信対象の前記動画像に係る日時及び位置と前記関連情報に係る日時及び位置とに基づいて、前記送信対象の動画像に関連する関連情報を検索する検索手段と、
前記検索手段により検索された関連情報を前記送信対象の動画像と共に外部機器に送信させる送信制御手段と、
を有することを特徴とする撮像装置。
【００７０】
［実施形態２］  前記検索手段は、前記関連情報記録手段により記録された関連情報の中から、日時が前記送信対象の動画像に係る日時から一定範囲内であり、かつ位置が前記送信対象の動画像に係る位置から一定範囲内である関連情報を検索することを特徴とする実施形態１に記載の撮像装置。
【００７１】
［実施形態３］  前記動画像記録手段は、前記動画像と日時及び位置を磁気記録テープに記録し、前記関連情報記録手段は、前記関連情報と日時及び位置をランダムアクセス可能な記憶媒体に記録することを特徴とする実施形態１又は２に記載の撮像装置。
【００７２】
［実施形態４］  前記関連情報記録手段は、前記関連情報として、静止画像を記録することを特徴とする実施形態１〜３の何れかに記載の撮像装置。
【００７３】
［実施形態５］  前記関連情報記録手段は、前記関連情報として、モーションＪＰＥＧに係る画像を記録することを特徴とする実施形態１〜３の何れかに記載の撮像装置。
【００７４】
［実施形態６］  前記関連情報記録手段は、前記関連情報として、ＭＰＥＧに係る画像を記録することを特徴とする実施形態１〜３の何れかに記載の撮像装置。
【００７５】
［実施形態７］  前記関連情報記録手段は、前記関連情報として、音声クリップを記録することを特徴とする実施形態１〜３の何れかに記載の撮像装置。
【００７６】
［実施形態８］  前記関連情報記録手段は、前記動画像の再生中に前記音声クリップを記録する場合は、音声クリップに係る日時及び位置として、再生中の動画像に係る日時及び位置を使用することを特徴とする実施形態７に記載の撮像装置。
【００７７】
［実施形態９］  前記関連情報記録手段は、前記関連情報として、プレイリストを記録することを特徴とする実施形態１又は３に記載の撮像装置。
【００７８】
［実施形態１０］  前記検索手段は、前記送信対象の動画像を含むプレイリストを検索することを特徴とする実施形態９に記載の撮像装置。
【００７９】
［実施形態１１］  撮影した動画像を外部機器に送信可能な撮像装置の制御方法において、
前記動画像を日時及び位置と共に所定の記憶媒体に記録し、少なくとも前記動画像に関連する関連情報を日時及び位置と共に所定の記憶媒体に記録し、記録された前記動画像を外部機器に送信する際に、少なくとも送信対象の前記動画像に係る日時及び位置と前記関連情報に係る日時及び位置とに基づいて、前記送信対象の動画像に関連する関連情報を検索し、検索された関連情報を前記送信対象の動画像と共に外部機器に送信させることを特徴とする撮像装置の制御方法。
【００８０】
［実施形態１２］  撮影した動画像を日時及び位置と共に所定の記憶媒体に記録し、少なくとも前記動画像に関連する関連情報を日時及び位置と共に所定の記憶媒体に記録し、記録された前記動画像を外部機器に送信する際に、少なくとも送信対象の前記動画像に係る日時及び位置と前記関連情報に係る日時及び位置とに基づいて、前記送信対象の動画像に関連する関連情報を検索し、検索された関連情報を前記送信対象の動画像と共に外部機器に送信させる内容を有することを特徴とする制御プログラム。
【００８１】
【発明の効果】
以上説明したように、本発明によれば、動画像を外部機器に転送する際に、その動画像に関連する静止画像等の関連情報を簡単、かつ確実に転送し得る撮像装置を提供することが可能となる。
【図面の簡単な説明】
【図１】本発明の第１の実施形態に係る撮像装置（デジタルビデオカメラ）の概略構成を示すブロック図である。
【図２】第１の実施形態に係る送信動作を示すフローチャートである。
【図３】本発明の第２の実施形態に係る撮像装置（デジタルビデオカメラ）の概略構成を示すブロック図である。
【符号の説明】
１０３，２０３…ＣＰＵ
１０５，２０５…ビデオ内部回路
１０５ａ，２０５ａ…時計部
１０６，２０６…ランダムアクセスメモリ
１０８，２０８…外部接続インターフェース
１０９，２０９…操作部
１１０…磁気記録テープ
１１１…メモリカード
１１２，２１２…ＧＰＳ
２１０…磁気ディスク
【図１】
2005005764.tif 000003
【図２】
2005005764.tif 000004
【図３】
2005005764.tif 000005